(57)【要約】【課題】  本発明は、従来の引き違い建具の枠構造がそのまま使え、建具である仕切部材の側縁端部形状に若干の加工を施すだけでフレキシブルで間仕切としての性能も高い間仕切構造を提供することを可能にすることを目的としている。【解決手段】  上下横枠体と竪枠体４ａ，４ｂとにより形成される開口部６に設けられる複数の仕切部材１の幅の総和は、開口部６の竪枠体４ａ，４ｂ間の開口幅よりも大きく設定され、全ての仕切部材１の上縁端部１ｂ及び下縁端部１ｃを同一の線状ガイド部５ａに係合して連設した際に隣設される一方の仕切部材１の嵌合部１ａを他方の仕切部材１の側縁端部よりも幅方向内側にオーバーラップさせることにより連設状態の仕切部材１の総幅員が竪枠体４ａ，４ｂ間の開口幅と略同一となって仕切壁７を構成することを特徴とする。【選択図】      図３
2006089966.tif 000002
【特許請求の範囲】
【請求項１】
建物の内部空間に複数の仕切部材が設けられる間仕切構造であって、
少なくとも一方の側縁端部にその高さ方向全長に亘って、連設される他の仕切部材の側縁端部よりも幅方向内側にオーバーラップし得る嵌合部を有する複数の仕切部材と、
前記仕切部材が着脱可能で且つ該仕切部材の上下端部に係合して該仕切部材の面外方向の動きを拘束し且つ面内方向のスライドを可能にする複数の線状ガイド部を有する上下横枠体と、
前記上下横枠体との間に開口部を形成する一対の竪枠体と、
を有し、
前記上下横枠体と前記竪枠体とにより形成される開口部に設けられる前記複数の仕切部材の幅の総和は、該開口部の前記竪枠体間の開口幅よりも大きく設定され、全ての仕切部材の上下端部を同一の線状ガイド部に係合して連設した際に隣設される一方の仕切部材の前記嵌合部を他方の仕切部材の側縁端部よりも幅方向内側にオーバーラップさせることにより連設状態の仕切部材の総幅員が前記竪枠体間の開口幅と略同一となって仕切壁を構成することを特徴とする間仕切構造。
【発明の詳細な説明】
【技術分野】
【０００１】
本発明は、建物の内部空間に複数の仕切部材が設けられる間仕切構造に関するものである。
【背景技術】
【０００２】
近年、青少年の犯罪の増加が大きな社会問題となっている。この要因の一つとして近年の住宅の間取り構成が挙げられている。即ち、間仕切壁によって区画された個室を中心に構成された住宅において、子供が家族との十分なコミュニケーションもなく自室に引き篭もって単独で過ごす時間が増加したことが家庭環境の荒廃を生み、犯罪の増加をもたらす一つの原因となっていると言われている。
【０００３】
この問題を解決するために新たな住宅の間取りの提案が行なわれている。例えば、居間に子供部屋を隣接させ、その境界には間仕切壁に代わって引き戸等の可動の仕切部材を設ける。そして普段は仕切部材を開放して居間と子供部屋を一体化し、就寝時等の必要な場合のみ部屋を仕切る。このような間取り構成により家族が一つの空間で生活する時間が増えてコミュニケーションが活発になり、子供の健全な人格を形成することが期待されている。
【０００４】
一方、前述の開放的な子供部屋を子供の成長、部屋の用途の変更、家族構成の変化等に合わせて将来的には可動性の無い仕切りによって区画されプライバシーの確保された個室にしたいという相反する要望も存在する。
【０００５】
このような要望を満足させる手段として、様々な間仕切りが提案されている。例えば、特開平11-293827号公報（特許文献１）に記載されたように、和風住宅で一般的に用いられている襖のように複数の溝に間仕切壁をそれぞれ嵌め込み、それぞれの間仕切壁が独立してスライドし得るようにして空間を仕切ったり開放したりするものがある。
【０００６】
また、特開2003-129734号公報（特許文献２）に記載されたように、複数の間仕切戸が一対の上下レールに沿って同一面上をスライドするように構成したものがある。
【０００７】
【特許文献１】特開平１１−２９３８２７号公報
【特許文献２】特開２００３−１２９７３４号公報
【発明の開示】
【発明が解決しようとする課題】
【０００８】
しかしながら、前述の従来例において、特許文献１の技術では、間仕切壁は全くフリーであるためこれを不動化したい場合には不動化手段としての固定装置が別途必要であった。また不動化は出来てもスライド時に間仕切壁同士がぶつからないようにするための遊び（クリアランス）が必要なため召し合わせ（間仕切壁同士の重なり）があっても隙間から光や音が漏れ易いという問題があった。更に間仕切壁の面が揃わないため家具等が壁面にぴったりと寄せられず、室内空間が有効に利用し難いという問題もあった。
【０００９】
一方、特許文献２の技術では、間仕切戸を開放するためには間仕切戸の折り畳みや収納のしくみが別途必要で構成が複雑になるという問題があった。また任意の位置の間仕切戸をスライドさせて開放することが困難で使い勝手上の問題があった。
【００１０】
本発明は前記課題を解決するものであり、その目的とするところは、従来の引き違い建具の枠構造がそのまま使え、建具である仕切部材の側縁端部形状に若干の加工を施すだけでフレキシブルで間仕切としての性能も高い間仕切構造を提供せんとするものである。
【課題を解決するための手段】
【００１１】
前記目的を達成するための本発明に係る間仕切構造は、建物の内部空間に複数の仕切部材が設けられる間仕切構造であって、少なくとも一方の側縁端部にその高さ方向全長に亘って、連設される他の仕切部材の側縁端部よりも幅方向内側にオーバーラップし得る嵌合部を有する複数の仕切部材と、前記仕切部材が着脱可能で且つ該仕切部材の上下端部に係合して該仕切部材の厚さ方向の動きを拘束し且つ面内方向のスライドを可能にする複数の線状ガイド部を有する上下横枠体と、前記上下横枠体との間に開口部を形成する一対の竪枠体とを有し、前記上下横枠体と前記竪枠体とにより形成される開口部に設けられる前記複数の仕切部材の幅の総和は、該開口部の前記竪枠体間の開口幅よりも大きく設定され、全ての仕切部材の上下端部を同一の線状ガイド部に係合して連設した際に隣設される一方の仕切部材の前記嵌合部を他方の仕切部材の側縁端部よりも幅方向内側にオーバーラップさせることにより連設状態の仕切部材の総幅員が前記竪枠体間の開口幅と略同一となって仕切壁を構成することを特徴とする。
【発明の効果】
【００１２】
上記構成によれば、複数の線状ガイド部に沿ってスライド可能に構成される仕切部材を引き戸として利用する一方で、各仕切部材を各線状ガイド部から一旦脱離して同一の線状ガイド部に一同に係合して複数の仕切部材を連設させることが出来る。その際、隣設される一方の仕切部材の側縁端部に設けられた嵌合部を他方の仕切部材の側縁端部よりも幅方向内側にオーバーラップさせることにより連設状態の仕切部材の総幅員が竪枠体間の開口幅と略同一となって仕切壁を構成することが出来る。
【発明を実施するための最良の形態】
【００１３】
図により本発明に係る間仕切構造の一実施形態を具体的に説明する。図１（ａ）は本発明に係る間仕切構造に適用される仕切部材の第１実施形態の構成を示す正面図、側面図及び平面図、図１（ｂ）は本発明に係る間仕切構造に適用される仕切部材の第１実施形態の構成を示す縦断面図、図２（ａ），（ｂ）は図１（ａ）のＡ−Ａ、Ｂ−Ｂ断面図、図３は３条の線状ガイド部に第１実施形態の仕切部材を３枚連設した場合の構成を示す平面模式図、図４は２条の線状ガイド部に第１実施形態の仕切部材を４枚連設した場合の構成を示す平面模式図、図５は４条の線状ガイド部に第１実施形態の仕切部材を４枚連設した場合の構成を示す平面模式図、図６は２条の線状ガイド部に第１実施形態の仕切部材を２枚連設した場合の構成を示す平面模式図である。
【００１４】
先ず、図１〜図６を用いて本発明に係る間仕切構造の第１実施形態の構成について説明する。図１及び図２において、１はアルミニウム製の仕切部材であって、図３〜図６に示すように、建物の内部空間に設けられた上下横枠体と一対の竪枠体４ａ，４ｂとの間に形成される開口部６に設けられる引き戸としても利用可能であり、更には同一の線状ガイド部５ａに一同に係合して連設することにより仕切壁７を構成する間仕切構造としても利用可能である。
【００１５】
仕切部材１は少なくとも一方の側縁端部にその高さ方向（図１の上下方向）全長に亘って、連設される他の仕切部材１の側縁端部よりも幅方向（図１の左右方向）内側にオーバーラップし得る嵌合部１ａを有しており、本実施形態では仕切部材１の両方の側縁端部に互い違いの方向に嵌合部１ａを設けた一例である。尚、仕切部材１の下縁端部１ｃには下横枠体となる敷居２に設けられた線状ガイド部となる溝２ａに沿って走行し得る戸車３が設けられている。
【００１６】
建物の内部空間には、仕切部材１が着脱可能で且つ該仕切部材１の上下端部に係合して該仕切部材１の厚さ方向の動きを拘束し、且つ面内方向のスライドを可能にする複数の線状ガイド部を有する上下横枠体と、該上下横枠体との間に開口部６を形成する一対の竪枠体４ａ，４ｂが設けられている。
【００１７】
仕切部材１の上縁端部１ｂは上横枠体となる図示しない鴨居に設けられた線状ガイド部となる溝に摺動自在に嵌入されており、仕切部材１の下縁端部１ｃに設けられた戸車３が下横枠体となる敷居２に設けられた線状ガイド部となる溝２ａに係合して該溝２ａに沿って走行し得るように構成されている。
【００１８】
そして、仕切部材１を持ち上げて戸車３を溝２ａから脱離し、上縁端部１ｂを鴨居に設けられた溝から脱離することで仕切部材１を上下の線状ガイド部から脱離出来るように構成されている。
【００１９】
図３は上下横枠体と竪枠体４ａ，４ｂとにより形成される開口部６に設けられる３条の線状ガイド部５ａ，５ｂ，５ｃに仕切部材１を３枚連設した場合の構成を示す。３枚の仕切部材１の幅Ｗ１，Ｗ２，Ｗ３の総和Ｗσ（Ｗσ＝Ｗ１＋Ｗ２＋Ｗ３）は開口部６の竪枠体４ａ，４ｂ間の開口幅Ｗｏよりも大きくなるように設定されている（Ｗσ＞Ｗｏ）。
【００２０】
図３（ａ）に示すように、３枚の仕切部材１を引き戸として利用する場合には、互いの嵌合部１ａを背中合わせにして各線状ガイド部５ａ，５ｂ，５ｃに各仕切部材１の上縁端部１ｂ及び下縁端部１ｃを係合して各仕切部材１の厚さ方向の動きを拘束すると共に、面内方向のスライドを可能に配置することが出来る。
【００２１】
３枚の仕切部材１の幅Ｗ１，Ｗ２，Ｗ３の総和Ｗσが開口部６の竪枠体４ａ，４ｂ間の開口幅Ｗｏよりも大きくなるように設定したことで、引き戸として利用される複数の仕切部材１の互いの嵌合部１ａが高さ方向全長に亘って重なる構成となり、遮光効果や遮音効果が得られる。
【００２２】
また図３（ｂ）に示すように、３枚の仕切部材１を仕切壁７として利用する場合には、互いの嵌合部１ａを抱き合わせにして隣設される一方の仕切部材１の嵌合部１ａを他方の仕切部材１の側縁端部よりも幅方向内側にオーバーラップさせて同一の線状ガイド部（例えば線状ガイド部５ａ）に３枚全ての仕切部材１の上縁端部１ｂ及び下縁端部１ｃを係合して連設する。
【００２３】
尚、ここで互いの嵌合部１ａを抱き合わせにするとは、一方の仕切部材１の嵌合部１ａに対して他方の仕切部材１の嵌合部１ａを幅方向にスライドさせること無く厚み方向から当接させることをいう。このように互いの仕切部材１の嵌合部１ａを抱き合わせ可能に構成することによって、仕切部材１を仕切壁７として利用する場合の最後の１枚の仕切部材１を幅方向にクリアランスが無い状態で設置可能となる。
【００２４】
このとき、互いの嵌合部１ａを抱き合わせにしてオーバーラップさせた連設状態の仕切部材１の総幅員Ｗａが竪枠体４ａ，４ｂ間の開口幅Ｗｏと略同一となるように嵌合部１ａの幅寸法が設定されている。
【００２５】
図４は上下横枠体と竪枠体４ａ，４ｂとにより形成される開口部６に設けられる２条の線状ガイド部５ａ，５ｂに仕切部材１を４枚連設した場合の構成を示す。４枚の仕切部材１の幅Ｗ１，Ｗ２，Ｗ３，Ｗ４の総和Ｗσ（Ｗσ＝Ｗ１＋Ｗ２＋Ｗ３＋Ｗ４）は開口部６の竪枠体４ａ，４ｂ間の開口幅Ｗｏよりも大きくなるように設定されている（Ｗσ＞Ｗｏ）。
【００２６】
図４（ａ）に示すように、４枚の仕切部材１を引き戸として利用する場合には、中央部で隣設される仕切部材１の互いの嵌合部１ａを突き合わせとし、その両側で隣設される仕切部材１の互いの嵌合部１ａを背中合わせにして各線状ガイド部５ａ，５ｂに各仕切部材１の上縁端部１ｂ及び下縁端部１ｃを係合して各仕切部材１の厚さ方向の動きを拘束すると共に、面内方向のスライドを可能に配置することが出来る。
【００２７】
このように４枚の仕切部材１の幅Ｗ１，Ｗ２，Ｗ３，Ｗ４の総和Ｗσが開口部６の竪枠体４ａ，４ｂ間の開口幅Ｗｏよりも大きくなるように設定したことで、引き戸として利用される複数の仕切部材１のうち一部で互いの嵌合部１ａが高さ方向全長に亘って重なる構成となり、遮光効果や遮音効果が得られる。
【００２８】
また図４（ｂ）に示すように、４枚の仕切部材１を仕切壁７として利用する場合には、中央部で隣設される仕切部材１の互いの嵌合部１ａを突き合わせとし、その両側で隣設される仕切部材１の互いの嵌合部１ａを抱き合わせにして複数の仕切部材１のうち一部で隣設される一方の仕切部材１の嵌合部１ａを他方の仕切部材１の側縁端部よりも幅方向内側にオーバーラップさせて同一の線状ガイド部（例えば線状ガイド部５ａ）に４枚全ての仕切部材１の上縁端部１ｂ及び下縁端部１ｃを係合して連設する。
【００２９】
このとき、複数の仕切部材１のうち一部で互いの嵌合部１ａを抱き合わせにしてオーバーラップさせた連設状態の仕切部材１の総幅員Ｗａが竪枠体４ａ，４ｂ間の開口幅Ｗｏと略同一となるように嵌合部１ａの幅寸法が設定されている。
【００３０】
図５は上下横枠体と竪枠体４ａ，４ｂとにより形成される開口部６に設けられる４条の線状ガイド部５ａ，５ｂ，５ｃ，５ｄに仕切部材１を４枚連設した場合の構成を示す。４枚の仕切部材１の幅Ｗ１，Ｗ２，Ｗ３，Ｗ４の総和Ｗσ（Ｗσ＝Ｗ１＋Ｗ２＋Ｗ３＋Ｗ４）は開口部６の竪枠体４ａ，４ｂ間の開口幅Ｗｏよりも大きくなるように設定されている（Ｗσ＞Ｗｏ）。
【００３１】
図５（ａ）に示すように、４枚の仕切部材１を引き戸として利用する場合には、互いの嵌合部１ａを背中合わせにして各線状ガイド部５ａ，５ｂ，５ｃ，５ｄに各仕切部材１の上縁端部１ｂ及び下縁端部１ｃを係合して各仕切部材１の厚さ方向の動きを拘束すると共に、面内方向のスライドを可能に配置することが出来る。
【００３２】
４枚の仕切部材１の幅Ｗ１，Ｗ２，Ｗ３，Ｗ４の総和Ｗσが開口部６の竪枠体４ａ，４ｂ間の開口幅Ｗｏよりも大きくなるように設定したことで、引き戸として利用される複数の仕切部材１の互いの嵌合部１ａが高さ方向全長に亘って重なる構成となり、遮光効果や遮音効果が得られる。
【００３３】
また図５（ｂ）に示すように、４枚の仕切部材１を仕切壁７として利用する場合には、互いの嵌合部１ａを抱き合わせにして隣設される一方の仕切部材１の嵌合部１ａを他方の仕切部材１の側縁端部よりも幅方向内側にオーバーラップさせて同一の線状ガイド部（例えば線状ガイド部５ａ）に４枚全ての仕切部材１の上縁端部１ｂ及び下縁端部１ｃを係合して連設する。
【００３４】
このとき、互いの嵌合部１ａを抱き合わせにしてオーバーラップさせた連設状態の仕切部材１の総幅員Ｗａが竪枠体４ａ，４ｂ間の開口幅Ｗｏと略同一となるように嵌合部１ａの幅寸法が設定されている。
【００３５】
図６は上下横枠体と竪枠体４ａ，４ｂとにより形成される開口部６に設けられる２条の線状ガイド部５ａ，５ｂに仕切部材１を２枚連設した場合の構成を示す。２枚の仕切部材１の幅Ｗ１，Ｗ２の総和Ｗσ（Ｗσ＝Ｗ１＋Ｗ２）は開口部６の竪枠体４ａ，４ｂ間の開口幅Ｗｏよりも大きくなるように設定されている（Ｗσ＞Ｗｏ）。
【００３６】
図６（ａ）に示すように、２枚の仕切部材１を引き戸として利用する場合には、互いの嵌合部１ａを背中合わせにして各線状ガイド部５ａ，５ｂに各仕切部材１の上縁端部１ｂ及び下縁端部１ｃを係合して各仕切部材１の厚さ方向の動きを拘束すると共に、面内方向のスライドを可能に配置することが出来る。
【００３７】
２枚の仕切部材１の幅Ｗ１，Ｗ２の総和Ｗσが開口部６の竪枠体４ａ，４ｂ間の開口幅Ｗｏよりも大きくなるように設定したことで、引き戸として利用される複数の仕切部材１の互いの嵌合部１ａが高さ方向全長に亘って重なる構成となり、遮光効果や遮音効果が得られる。
【００３８】
また図６（ｂ）に示すように、２枚の仕切部材１を仕切壁７として利用する場合には、互いの嵌合部１ａを抱き合わせにして隣設される一方の仕切部材１の嵌合部１ａを他方の仕切部材１の側縁端部よりも幅方向内側にオーバーラップさせて同一の線状ガイド部（例えば線状ガイド部５ａ）に２枚全ての仕切部材１の上縁端部１ｂ及び下縁端部１ｃを係合して連設する。
【００３９】
このとき、互いの嵌合部１ａを抱き合わせにしてオーバーラップさせた連設状態の仕切部材１の総幅員Ｗａが竪枠体４ａ，４ｂ間の開口幅Ｗｏと略同一となるように嵌合部１ａの幅寸法が設定されている。
【００４０】
尚、前記実施形態では仕切部材１の両側縁端部に嵌合部１ａを設けた場合の一例について説明したが、竪枠体４ａ，４ｂに当接する側の側縁端部は嵌合部１ａを設けることなく厚さ方向に平坦面となる構成としても良い。
【００４１】
上記構成によれば、従来の引き違い建具の枠構造がそのまま使え、建具である仕切部材１の側縁端部形状に若干の加工を施すだけでフレキシブルで間仕切としての性能も高い間仕切構造とすることが出来る。
【００４２】
仕切部材１の幅Ｗｎ（ｎは２以上の自然数）は同一寸法とすると、引き戸として使用し、全ての仕切部材１を一方の竪枠体４ａ（４ｂ）側に寄せて開放した場合に仕切部材１の端部の位置が揃い、きれいに収めることが出来る。
【００４３】
尚、嵌合部１ａの先端の突起部分が任意の高さにおける引き手として利用出来るため、上記の状態においても隣接する仕切部材１によって引き手が塞がれることがなく仕切部材１の移動作業を容易に行なうことが出来る。
【００４４】
また前述の構成に加えて仕切部材１の嵌合部１ａの形状は全ての仕切部材１において同一或いは仕切部材１の幅方向の中心軸に対して左右対称に構成すると仕切部材１の位置に制約がなくなり仕切部材１の品種を減らすことが出来る。
【００４５】
次に図７及び図８を用いて本発明に係る間仕切構造の第２実施形態について説明する。図７は本発明に係る間仕切構造に適用される仕切部材の第２実施形態の構成を示す斜視説明図、図８は３条の線状ガイド部に第２実施形態の仕切部材を３枚連設した場合の構成を示す平面模式図である。尚、前記第１実施形態と同様に構成したものは同一の符号を付して説明を省略する。
【００４６】
本実施形態では木製の仕切部材１で構成され、建物の内部空間に設けられた上下横枠体と一対の竪枠体４ａ，４ｂとの間に形成される開口部６に設けられる引き戸としても利用可能であり、更には同一の線状ガイド部５ａに一同に係合して連設することにより仕切壁７を構成する間仕切構造としても利用可能である。
【００４７】
仕切部材１は少なくとも一方の側縁端部にその高さ方向（図１の上下方向）全長に亘って、連設される他の仕切部材１の側縁端部よりも幅方向（図１の左右方向）内側にオーバーラップし得る嵌合部１ａを有しており、本実施形態では仕切部材１の両方の側縁端部に互い違いの方向に嵌合部１ａを設けた一例である。尚、仕切部材１の下縁端部１ｃには下横枠体となる敷居２に設けられた線状ガイド部となる溝２ａに沿って走行し得る戸車３が設けられている。
【００４８】
仕切部材１の上縁端部１ｂは上横枠体となる図示しない鴨居に設けられた線状ガイド部となる溝に摺動自在に嵌入されており、仕切部材１の下縁端部１ｃに設けられた戸車３が図＊に示して前述した下横枠体となる敷居２に設けられた線状ガイド部となる溝２ａに係合して該溝２ａに沿って走行し得るように構成されている。
【００４９】
そして、仕切部材１を持ち上げて戸車３を溝２ａから脱離し、上縁端部１ｂを鴨居に設けられた溝から脱離することで仕切部材１を上下の線状ガイド部から脱離出来るように構成されている。
【００５０】
図８は上下横枠体と竪枠体４ａ，４ｂとにより形成される開口部６に設けられる３条の線状ガイド部５ａ，５ｂ，５ｃに仕切部材１を３枚連設した場合の構成を示す。３枚の仕切部材１の幅Ｗ１，Ｗ２，Ｗ３の総和Ｗσ（Ｗσ＝Ｗ１＋Ｗ２＋Ｗ３）は開口部６の竪枠体４ａ，４ｂ間の開口幅Ｗｏよりも大きくなるように設定されている（Ｗσ＞Ｗｏ）。
【００５１】
図８（ａ）に示すように、３枚の仕切部材１を引き戸として利用する場合には、互いの嵌合部１ａを背中合わせにして各線状ガイド部５ａ，５ｂ，５ｃに各仕切部材１の上縁端部１ｂ及び下縁端部１ｃを係合して各仕切部材１の厚さ方向の動きを拘束すると共に、面内方向のスライドを可能に配置することが出来る。
【００５２】
３枚の仕切部材１の幅Ｗ１，Ｗ２，Ｗ３の総和Ｗσが開口部６の竪枠体４ａ，４ｂ間の開口幅Ｗｏよりも大きくなるように設定したことで、引き戸として利用される複数の仕切部材１の互いの嵌合部１ａが高さ方向全長に亘って重なる構成となり、遮光効果や遮音効果が得られる。
【００５３】
また図８（ｂ）に示すように、３枚の仕切部材１を仕切壁７として利用する場合には、互いの嵌合部１ａを抱き合わせにして隣設される一方の仕切部材１の嵌合部１ａを他方の仕切部材１の側縁端部よりも幅方向内側にオーバーラップさせて同一の線状ガイド部（例えば線状ガイド部５ａ）に３枚全ての仕切部材１の上縁端部１ｂ及び下縁端部１ｃを係合して連設する。
【００５４】
このとき、互いの嵌合部１ａを抱き合わせにしてオーバーラップさせた連設状態の仕切部材１の総幅員Ｗａが竪枠体４ａ，４ｂ間の開口幅Ｗｏと略同一となるように嵌合部１ａの幅寸法が設定されている。他の構成は前記第１実施形態と同様に構成され、同様の効果を得ることが出来る。
【００５５】
尚、本実施形態においても図４及び図５に示した第１実施形態と同様な構成とすることが出来る。即ち、第１実施形態と同様に仕切部材１の幅Ｗｎ（ｎは２以上の自然数）は同一寸法とすると、引き戸として使用し、全ての仕切部材１を一方の竪枠体４ａ（４ｂ）側に寄せて開放した場合に仕切部材１の端部の位置が揃い、きれいに収めることが出来る。
【００５６】
また前述の構成に加えて仕切部材１の嵌合部１ａの形状は全ての仕切部材１において同一或いは仕切部材１の幅方向の中心軸に対して左右対称に構成すると仕切部材１の位置に制約がなくなり仕切部材１の品種を減らすことが出来る。
【００５７】
また仕切部材１の側縁端部のうち竪枠体４ａ，４ｂに接する側等の他の仕切部材１と嵌合しないところは嵌合部１ａを設けず側縁端部までフラットに仕上げると仕切部材１を仕切壁７として利用した場合に凹凸の無いスッキリとした壁面を構成することが出来る。
【産業上の利用可能性】
【００５８】
本発明の活用例として、建物の内部空間に複数の仕切部材が設けられる間仕切構造として好適である。
【図面の簡単な説明】
【００５９】
【図１】（ａ）は本発明に係る間仕切構造に適用される仕切部材の第１実施形態の構成を示す正面図、側面図及び平面図、（ｂ）は本発明に係る間仕切構造に適用される仕切部材の第１実施形態の構成を示す縦断面図である。
【図２】（ａ），（ｂ）は図１（ａ）のＡ−Ａ、Ｂ−Ｂ断面図である。
【図３】３条の線状ガイド部に第１実施形態の仕切部材を３枚連設した場合の構成を示す平面模式図である。
【図４】２条の線状ガイド部に第１実施形態の仕切部材を４枚連設した場合の構成を示す平面模式図である。
【図５】４条の線状ガイド部に第１実施形態の仕切部材を４枚連設した場合の構成を示す平面模式図である。
【図６】２条の線状ガイド部に第１実施形態の仕切部材を２枚連設した場合の構成を示す平面模式図である。
【図７】本発明に係る間仕切構造に適用される仕切部材の第２実施形態の構成を示す斜視説明図である。
【図８】３条の線状ガイド部に第２実施形態の仕切部材を３枚連設した場合の構成を示す平面模式図である。
【符号の説明】
【００６０】
１…仕切部材
１ａ…嵌合部
１ｂ…上縁端部
１ｃ…下縁端部
２…敷居
２ａ…溝
３…戸車
４ａ，４ｂ…竪枠体
５ａ〜５ｄ…線状ガイド部
６…開口部
７…仕切壁
【図１】
2006089966.tif 000003
【図２】
2006089966.tif 000004
【図３】
2006089966.tif 000005
【図４】
2006089966.tif 000006
【図５】
2006089966.tif 000007
【図６】
2006089966.tif 000008
【図７】
2006089966.tif 000009
【図８】
2006089966.tif 000010